【手続補正書】
【提出日】平成19年1月23日(2007.1.23)
【手続補正１】
【補正対象書類名】明細書
【補正対象項目名】特許請求の範囲
【補正方法】変更
【補正の内容】
【特許請求の範囲】
【請求項１】
光源手段と、前記光源手段から出射した光束を主走査方向に偏向する光偏向器と、前記光偏向器の偏向面にて偏向された光束を被走査面上に結像させる結像光学系と、を有する走査光学装置であって、
前記結像光学系は、２枚以上の結像レンズを備え、前記２枚以上の結像レンズのうち１つのレンズ面のみの副走査方向の曲率半径が主走査方向において軸上から軸外に向かい連続的に変化しており、
且つ、前記レンズ面に入射する光束の前記レンズ面上での一光束内での副走査方向の曲率変化率は１０％以下に設定されており、
前記レンズ面の主走査断面内の形状は、走査有効域内で前記被走査面に入射する光束の副走査方向のＦナンバーが一定となるような形状であることを特徴とする走査光学装置。
【請求項２】
前記レンズ面を有する結像レンズの主走査断面内の形状は、少なくとも一方のレンズ面が前記光偏向器側に曲率中心を有することを特徴とする請求項１記載の走査光学装置。
【請求項３】
前記レンズ面を有する結像レンズは、前記結像光学系を構成する２枚以上の結像レンズのうち前記被走査面に最も近い位置に配置されていることを特徴とする請求項１又は２記載の走査光学装置。
【請求項４】
前記レンズ面を有する結像レンズの主走査方向のパワーをφｍＬ、前記レンズ面を有する結像レンズの副走査方向のパワーをφｓＬとしたとき、
φｍＬ＜φｓＬ
なる条件を満足することを特徴とする請求項３記載の走査光学装置。
【請求項５】
前記レンズ面を有する結像レンズの主走査方向のパワーをφｍＬ、前記結像光学系全体の主走査方向のパワーをφｍｆとしたとき、
φｍＬ／φｍｆ＜０．５
なる条件を満足することを特徴とする請求項３又は４記載の走査光学装置。
【請求項６】
前記レンズ面を有する結像レンズの副走査方向のパワーをφｓＬ、前記結像光学系全体の副走査方向のパワーをφｓｆとしたとき、
０．５＜φｓＬ／φｓｆ
なる条件を満足することを特徴とする請求項３乃至５の何れか一項記載の走査光学装置。
【請求項７】
前記レンズ面を有する結像レンズは、前記光偏向器の偏向点と前記被走査面との中点よりも該被走査面側に配置されていることを特徴とする請求項１乃至６の何れか一項記載の走査光学装置。
【請求項８】
請求項１乃至９の何れか一項記載の走査光学装置と、前記走査光学装置の被走査面に配置された感光ドラムと、前記感光ドラム上を光束が走査することによって形成された静電潜像をトナー像として現像する現像手段と、前記現像されたトナー像を用紙に転写する転写手段と、転写されたトナー像を用紙に定着させる定着手段と、を備えたことを特徴とする画像形成装置。
【手続補正２】
【補正対象書類名】明細書
【補正対象項目名】００１０
【補正方法】変更
【補正の内容】
【００１０】
【課題を解決するための手段】
請求項１の発明の走査光学装置は、光源手段と、前記光源手段から出射した光束を主走査方向に偏向する光偏向器と、前記光偏向器の偏向面にて偏向された光束を被走査面上に結像させる結像光学系と、を有する走査光学装置であって、
前記結像光学系は、２枚以上の結像レンズを備え、前記２枚以上の結像レンズのうち１つのレンズ面のみの副走査方向の曲率半径が主走査方向において軸上から軸外に向かい連続的に変化しており、
且つ、前記レンズ面に入射する光束の前記レンズ面上での一光束内での副走査方向の曲率変化率は１０％以下に設定されており、
前記レンズ面の主走査断面内の形状は、走査有効域内で前記被走査面に入射する光束の副走査方向のＦナンバーが一定となるような形状であることを特徴としている。
【手続補正３】
【補正対象書類名】明細書
【補正対象項目名】００１１
【補正方法】変更
【補正の内容】
【００１１】
請求項２の発明は、請求項１の発明において、前記レンズ面を有する結像レンズの主走査断面内の形状は、少なくとも一方のレンズ面が前記光偏向器側に曲率中心を有することを特徴としている。
【手続補正４】
【補正対象書類名】明細書
【補正対象項目名】００１２
【補正方法】変更
【補正の内容】
【００１２】
請求項３の発明は請求項１又は２の発明において、前記レンズ面を有する結像レンズは、前記結像光学系を構成する２枚以上の結像レンズのうち前記被走査面に最も近い位置に配置されていることを特徴としている。
【手続補正５】
【補正対象書類名】明細書
【補正対象項目名】００１３
【補正方法】変更
【補正の内容】
【００１３】
請求項４の発明は請求項３の発明において、前記レンズ面を有する結像レンズの主走査方向のパワーをφｍＬ、前記レンズ面を有する結像レンズの副走査方向のパワーをφｓＬとしたとき、
φｍＬ＜φｓＬ
なる条件を満足することを特徴としている。
【手続補正６】
【補正対象書類名】明細書
【補正対象項目名】００１４
【補正方法】変更
【補正の内容】
【００１４】
請求項５の発明は請求項３又は４の発明において、前記レンズ面を有する結像レンズの主走査方向のパワーをφｍＬ、前記結像光学系全体の主走査方向のパワーをφｍｆとしたとき、
φｍＬ／φｍｆ＜０．５
なる条件を満足することを特徴としている。
【手続補正７】
【補正対象書類名】明細書
【補正対象項目名】００１５
【補正方法】変更
【補正の内容】
【００１５】
請求項６の発明は請求項３乃至５のいずれか一項の発明において、前記レンズ面を有する結像レンズの副走査方向のパワーをφｓＬ、前記結像光学系全体の副走査方向のパワーをφｓｆとしたとき、
０．５＜φｓＬ／φｓｆ
なる条件を満足することを特徴としている。
【手続補正８】
【補正対象書類名】明細書
【補正対象項目名】００１６
【補正方法】変更
【補正の内容】
【００１６】
請求項７の発明は請求項１乃至６のいずれか一項の発明において、前記レンズ面を有する結像レンズは、前記光偏向器の偏向点と前記被走査面との中点よりも該被走査面側に配置されていることを特徴としている。
【手続補正９】
【補正対象書類名】明細書
【補正対象項目名】００１７
【補正方法】変更
【補正の内容】
【００１７】
請求項８の発明の画像形成装置は、請求項１乃至９の何れか一項記載の走査光学装置と、前記走査光学装置の被走査面に配置された感光ドラムと、前記感光ドラム上を光束が走査することによって形成された静電潜像をトナー像として現像する現像手段と、前記現像されたトナー像を用紙に転写する転写手段と、転写されたトナー像を用紙に定着させる定着手段と、を備えたことを特徴としている。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４６
【補正方法】変更
【補正の内容】
【００４６】
１２は第３の光学素子としてのｆθ特性を有するｆθレンズ系（結像光学系）であり、光偏向器５側から順に後述する形状より成る凹球面レンズ６１、凸シリンダーレンズ（凸シリンドリカルレンズ）６２、そしてプラスチック成形により製作された長尺シリンダーレンズ（長尺シリンドリカルレンズ）６３の３枚の結像レンズを有しており、全系では主走査方向と副走査方向とで互いに異なる所定の屈折力を有しており、光偏向器５によって反射偏向（偏向走査）された画像情報に基づく光束を被走査面６上に結像させ、かつ光偏向器５の偏向面５ａの面倒れを補正している。
【手続補正３６】
【補正対象書類名】明細書
【補正対象項目名】００４７
【補正方法】変更
【補正の内容】
【００４７】
本実施形態では長尺シリンダーレンズ６３の出射面Ｒ６の副走査方向の曲率半径を主走査方向（像高方向）において軸上から軸外に向けて連続的に変化させており、その出射面Ｒ６上の一光束内での副走査方向の曲率変化率が１０％以下となるように設定している。さらに長尺シリンダーレンズ６３の主走査方向の形状を走査有効域内で被走査面６に入射する光束の副走査方向のＦナンバー（Ｆｎｏ）が一定となるように形成している。
【手続補正３７】
【補正対象書類名】明細書
【補正対象項目名】０１０５
【補正方法】変更
【補正の内容】
【０１０５】
【発明の効果】
本発明によれば前述の如く第３の光学素子を２枚以上のレンズより構成し、そのうちの少なくとも１つのレンズのレンズ面の副走査方向の曲率半径を主走査方向において軸上から軸外に向けて連続的に変化させ、該レンズ面上の一光束内での副走査方向の曲率変化率を１０％以下とし、該レンズ面を有するレンズの主走査方向の形状を走査有効域内で被走査面に入射する光束の副走査方向のＦナンバーが一定となるよう形成することにより、走査有効域内での副走査方向のスポット径を揃えることができ、またマルチビーム走査において走査有効域内での隣接ピッチ間隔を揃えることができ、これによりコンパクトで高精細な画像記録に最適な走査光学装置及びそれを用いた画像形成装置を達成することができる。